(57)【要約】【課題】吸湿剤を迅速に乾燥させて還元することができるため、吸湿効果を向上させられる吸湿ボックス構造を提供する。【解決手段】吸湿ボックス構造であって、吸湿ボックス本体１の収容設置空間１３内に通風管２を設置する。通風管２上に貫通孔２２を設置し、収容設置空間１３と相互に通じる。吸湿ボックス本体１内の通風管２設計を利用し、吸湿ボックス本体１に充填する吸湿材を乾燥還元させる時には、電熱装置が発する熱風を通風管２を経て導引し、熱風を吸湿ボックス本体１収容設置空間１３のあらゆる部分に吹きつけ、吸湿材を迅速に乾燥させる効果を達成する。本発明の吸湿ボックス内には電熱アセンブリを未設置なため、吸湿ボックスの製造コストを大幅に削減でき、吸湿ボックス内の収容設置空間１３を拡大でき、吸湿材の充填量を増やせるため、吸湿ボックスの吸湿効果をさらに高めることができる。【選択図】図１
2015123449.tif 000002
【特許請求の範囲】
【請求項１】
吸湿ボックス構造であって、吸湿ボックス本体を設置し、
前記吸湿ボックス本体には、収容設置空間を成形し、
前記収容設置空間内には、管孔を備える通風管を設置し、
前記通風管上には、貫通孔を設置し、
前記管孔は、前記貫通孔を経由して、前記収容設置空間と相互に通じ、
前記吸湿ボックス本体上には、複数の貫通孔を設置し、これにより前記収容設置空間と相互に通じることを特徴とする吸湿ボックス構造。
【請求項２】
前記吸湿ボックス本体は、ケース体を備え、
前記ケース体上には、ケース蓋を設置し、
これにより、前記ケース体と前記ケース蓋との間に、前記収容設置空間を形成し、
前記通風管一端は、前記ケース蓋と相互に接続し、しかも前記通風管と相互に接続するケース蓋上には、通過孔を設置し、こうして前記通風管の管孔と相互に通じることを特徴とする請求項１に記載の吸湿ボックス構造。
【請求項３】
前記吸湿ボックス本体は、ケース体を備え、
前記ケース体上には、ケース蓋を設置し、
これにより、前記ケース体と前記ケース蓋との間に、前記収容設置空間を形成し、
前記通風管の壁の厚い位置には、軸方向に数個の槽孔を貫通し、しかも槽孔は、繋がって設置するケース蓋まで貫通し、槽口を形成し、
これにより、前記通風管の内壁及び外壁には、その軸方向に沿って、間隙孔を成形し、前記槽孔とそれぞれ相互に通じることを特徴とする請求項１に記載の吸湿ボックス構造。
【請求項４】
前記吸湿ボックス本体は、ケース体及びケース蓋を備え、
前記通風管は、前記吸湿ボックス本体に進入し、
前記通風管は、管口を備え、前記管口に連通する通過孔を設置し、
前記ケース蓋の片側面には、複数の第二組合せ接続部を設置し、前記ケース体には、前記第二組合せ接続部に対応する複数の第一組合せ接続部を設置することを特徴とする請求項１に記載の吸湿ボックス構造。
【発明の詳細な説明】
【技術分野】
【０００１】
本発明は、吸湿ボックス構造に関し、吸湿剤を迅速に乾燥させて還元することができるため、吸湿効果を向上させられる吸湿ボックス構造に関する。
【背景技術】
【０００２】
市販されている除湿用商品では、塩化カルシウムなどの化学物質を内容物とする物が最も普及している。それは、収容設置ボックスを上下の収容設置空間に分け、上層収容設置空間には、顆粒状の塩化カルシウムを入れる。下層には除湿した水を集めるが、収納する液体中には、塩化カルシウムという化学物質を含むため、不注意で倒し傾け周囲の物品に接触すると、清掃が容易でない。しかも、人体が接触したなら、皮膚は赤く腫れ、痛むなどの炎症を起こしてしまう。さらに、回収も難しく、一般の使用者は、塩化カルシウムを含む液体を排水口に流し、収容設置ボックスを廃棄しているが、これでは環境を著しく汚染してしまい、また資源の浪費ともなっている。
【０００３】
よって、近年では、繰り返し使用が可能な除湿商品が開発された。それは、ボックス状の機体を備え、ボックス状機体内に、電熱アセンブリを設置する。さらに、ボックス状機体内には、吸湿剤を充填し、空気中の湿気を吸収する。吸湿剤が湿気をいっぱいに吸収すると、電熱アセンブリに通電し、電熱アセンブリにより電気エネルギーを熱エネルギーに転換後、既に湿気をいっぱいに吸収した吸湿剤を乾燥させ、繰り返し使用の目的を達成する。
【０００４】
しかし、上記した除湿製品は、繰り返し除湿の効果を備えるが、機体内に設置する電熱アセンブリにより、製造コストを高めてしまう。さらに、機体内に電熱アセンブリを設置することで、機体内の吸湿剤を収容する空間が減ってしまい、除湿量が低下する。
これにより、頻繁に電熱アセンブリを起動して、吸湿剤を乾燥させ、再除湿する動作を繰り返す必要があり、使用において不便である。また、電熱アセンブリが熱エネルギーを発した後、その主要な乾燥範囲は、周囲の吸湿材であり、機体内部のすべての吸湿材まで乾燥を及ぼすことは難しい。もし、機体内部のすべての吸湿材を乾燥させようとすれば、電熱アセンブリの作動時間を延長させなければならず、これにより電熱アセンブリを頻繁に起動し、しかも作動時間を延長することになる。こうして、それにより消費する電力コストは高騰し、同時に電熱アセンブリの使用寿命も短くなってしまい、一定時間の使用後に、メンテナンスや交換を行わなければならず、使用者の経済的な負担となっている。
【発明の概要】
【発明が解決しようとする課題】
【０００５】
本発明の目的は、吸湿剤を迅速に乾燥させて還元することができるため、吸湿効果を向上させられる吸湿ボックス構造を提供することにある。
【課題を解決するための手段】
【０００６】
上述の目的を解決するため、本発明は下記の吸湿ボックス構造を提供する。
吸湿ボックス本体には、収容設置空間を成形し、収容設置空間内には、管孔を備える通風管を設置する。
通風管上には、貫通孔を設置し、管孔は、貫通孔を経由して、収容設置空間と相互に通じる。
吸湿ボックス本体上には、複数の貫通孔を設置し、これにより収容設置空間と相互に通じる。
【発明の効果】
【０００７】
本発明の吸湿ボックス構造は、吸湿ボックス内に、電熱アセンブリを未設置なため、吸湿ボックスの製造コストを大幅に削減でき、吸湿ボックス内の吸湿材を充填する空間を拡大でき、吸湿材の充填量を増やせるため、吸湿ボックスの吸湿効果をさらに高めることができる。
【０００８】
本発明の吸湿ボックス構造は、吸湿ボックス内部に、通風管を設置し、吸湿材を乾燥還元する時には、電熱装置が発する熱風は、通風管の導引を経て、吸湿ボックス本体の収容設置空間のあらゆる部分へと効果的に吹き付けられ、内から外へと充分、かつ迅速に吸湿材を乾燥させることができる。
【０００９】
本発明の吸湿ボックス構造は、吸湿ボックス内部に、通風管を設置し、湿気が、吸湿ボックス本体の貫通孔から、吸湿ボックス本体の収容設置空間に進入する時には、湿気は通風管を経て収容設置空間内に進入することもでき、これにより収容設置空間の吸湿材は、外殻内へと、充分に湿気を吸収でき、効果的に除湿を達成することができる。
【図面の簡単な説明】
【００１０】
【図１】本発明の一実施形態による立体分解図である。
【図２】本発明の一実施形態による断面図である。
【図３】本発明の別種の実施形態による立体分解図である。
【図４】本発明の別種の実施形態による断面図である。
【図５】本発明のさらに別種の実施形態による立体分解図である。
【図６】本発明のさらに別種の実施形態による断面図である。
【図７】本発明のまたさらに別種の実施形態による立体分解図である。
【図８】図７に示す吸湿ボックス装置の立体分解図である。
【発明を実施するための形態】
【００１１】
図１、２に示すように、本発明の吸湿ボックス構造は、吸湿ボックス本体１、通風管２を備える。
【００１２】
吸湿ボックス本体１は、中空で、しかも両端が開放端を呈する筒状ケース体１１を備える。筒状ケース体１１両端には、ケース蓋１２を設置する。筒状ケース体１１と両端のケース蓋１２との間には、収容設置空間１３を設置する。２個のケース蓋１２内面の中央位置には、承接部１２１を突出状に設置する。しかも、承接部１２１中央位置には、収容槽１２２を陥没状に設置する。これによりケース蓋１２の収容槽１２２槽底には、通過孔１２３を貫通し、筒状ケース体１１周囲壁、２個のケース蓋１２上には、収容設置空間と連通する複数の貫通孔１１１、１２４をそれぞれ設置する。
【００１３】
通風管２は、吸湿ボックス本体１の収容設置空間１３中に位置する。通風管２内部には、管孔２１を形成する。通風管２周囲壁には、管孔２１に連通する複数の貫通孔２２を設置する。通風管２は、吸湿ボックス本体１の一方のケース蓋１２の収容設置槽１２２中に接続する。これにより、通風管２の管孔２１とケース蓋１２の通過孔１２３とは、相互に通じる。
【００１４】
使用時には、顆粒状の吸湿材を、吸湿ボックス本体１の収容設置空間１３中に充填し、タンス、書棚、下駄箱、収納ボックスなどの除湿が必要な空間に入れ、除湿が必要な空間内の湿気は、吸湿ボックス本体１の任意の孔より、吸湿ボックス本体１の収容設置空間１３内に進入する。収容設置空間１３内の吸湿材は湿気を吸収し、これにより除湿が必要な空間を乾燥状態に保持し、除湿が必要な空間の物品が、湿気により損壊しないよう防止することができる。
【００１５】
吸湿材が飽和まで湿気を吸収すると、使用者は、外部の電熱装置を利用して、吸湿ボックス内に充填する吸湿材を乾燥させ還元する動作を行うことができる。吸湿材の乾燥を行う時には、本発明の吸湿ボックスと電熱装置とを相互に接続し、電熱装置をオンとする。すると、電熱装置は熱風を生じ、熱風は、吸湿ボックス本体１の通過孔１２３を経由して通風管２の管孔２１中に進入する。さらに、通風管２に導引され、熱風は、通風管２の貫通孔２２を通過し、吸湿ボックス本体１の収容設置空間１３のあらゆる部分へと吹きつけられる。こうして、収容設置空間１３内の吸湿材を乾燥させ、しかも熱風は、筒状ケース体１１及び２個のケース蓋１２上の貫通孔１１１、１２４から排出される。こうして、熱風は、吸湿ボックス本体１の収容設置空間１３内で循環流通し、吸湿材を迅速に乾燥させる効果を達成する。
【００１６】
本発明の吸湿ボックスには、電熱アセンブリを設置しないため、吸湿ボックスの製造コストを大幅に引き下げることができる。また、吸湿ボックス内に電熱アセンブリを設置しないため、吸湿ボックスの収容設置空間１３に充填できる吸湿材の容量を増やすことができる。吸湿材の充填量を増やせば、吸湿量及び吸湿効果を高めることができ、長時間使用した後に、吸湿材を乾燥させて還元すればいいため、吸湿材の乾燥を頻繁に行う必要はない。こうして、使用の利便性を向上させられるばかりか、電力を節減することもできる。さらに、本発明は吸湿ボックス内部に位置する通風管２の設置により、電熱装置が発する熱風は、吸湿ボックス本体１の収容設置空間１３のあらゆる部分へと効果的に導引され、内から外へと充分、かつ迅速に吸湿材を乾燥させる。これにより、電熱装置の作動時間を短縮することができ、消費電力コストを引き下げることができる。
加えて、電熱装置の使用頻度と使用時間を効果的に減らすこともできるため、電熱装置の使用寿命を延長でき、電熱装置の損壊によるメンテナンス或いは交換の経済的損失を低減することができる。
【００１７】
図３、４に示すように、本発明吸湿ボックス構造の別種の実施形態では、吸湿ボックス本体３は、中空で、しかも両端は開放端を呈する筒状ケース体３１である。筒状ケース体３１の２個の開放端には、ケース蓋３２を設置する。しかも、筒状ケース体３１とケース蓋３２との間には、収容設置空間３３を形成する。これにより、筒状ケース体３１周囲壁には、収容設置空間３３と連通する複数の貫通孔３１１を設置する。
別に、一方のケース蓋３２内面には、通風管４を成形し、しかも通風管４は、中心に管孔４１を設置する。これにより、通風管４に連接するケース蓋３２は、通風管４の管孔４１に対応する位置に、通過孔３２１を形成する。また、通風管４の壁が厚い位置には、軸方向に数個の槽孔４２を貫通状に設置し、これにより繋がって設置するケース蓋３２位置には、槽口を形成する。これにより、通風管４の内壁及び外壁には、軸方向に沿って間隙孔４３がそれぞれ成形され、内壁及び外壁の間隙孔４３は隣接して設立され、こうしてそれぞれ槽孔４２と連通し、これにより２個のケース蓋３２周囲縁には、貫通孔３２２を設置する。
【００１８】
こうして、収容設置空間３３内に充填する吸湿材を乾燥させる時には、電熱装置が生じる熱風は、ケース蓋３２の通過孔３２１及び通風管４からケース蓋３２の槽孔４２の槽口まで通り抜け、収容設置空間３３中まで吹き込む。通風管４の槽孔４２及び、内外が連通する間隙孔４３の導引により、熱風は、収容設置空間３３のあらゆる部分の吸湿材へと吹き付けられ、吸湿材を乾燥させることができる。しかも、熱風は、２個のケース蓋３２周囲縁位置の貫通孔３２２により、外へと排出され、これにより熱風は、吸湿ボックス本体３の収容設置空間３３内において循環流通し、吸湿材の迅速乾燥の効果を達成することができる。
【００１９】
図５、６に示すように、本発明の吸湿ボックス構造のさらに別種の実施形態では、吸湿ボックス本体５は、少なくとも２個のケース蓋５１、或いは複数のケース蓋５１を対応接続して組成する。ここでは、２個のケース蓋５１設置を例として説明する。対応して接続する２個のケース蓋５１間には、吸湿ボックス本体５の収容設置空間５２を形成する。２個のケース蓋５１上には、複数の貫通孔５３を設置する。これにより、通風管６は、吸湿ボックス本体５の収容設置空間５２内に設置される。通風管６は、内部に中空管孔６１１を形成する通風管本体６１を備え、しかも通風管本体６１の管口とそのケース蓋５１に設置する通過孔５４とを相互に接続する。これにより、ケース蓋５１の通過孔５４は、通風管本体６１の管孔６１１と相互に通じる。通風管本体６１周囲壁には、数個の接続管６２一端を連接し、しかも数個の接続管６２反対端には、通風管本体６１外周に環状に設置する導流管６３を設置する。導流管６３周囲壁には、複数の貫通孔６３２を設置し、通風管本体６１の管孔６１１は、接続管６２の管孔６２１を経由し、導流管６３の管孔６３１と連通する。
【００２０】
これにより、吸湿ボックス本体５の収容設置空間５２の吸湿材を乾燥させる時には、電熱装置が生じる熱風は、吸湿ボックス本体５の通過孔５４より、通風管本体６１の管孔６１１内へと吹き込む。さらに、通風管本体６１の管孔６１１と相互に通じる接続管６２の管孔６２１を経て、導流管６３の管孔６３１内に進入し、導流管６３の貫通孔６３２より、吸湿ボックス本体５の収容設置空間５２のあらゆる部分に吹き込み、吸湿材を乾燥させる。熱風は、２個のケース蓋５１に設置する貫通孔５３より排出され、熱風は、吸湿ボックス本体５の収容設置空間５２内での循環流通を達成し、吸湿材を迅速に乾燥させることができる。
【００２１】
図７、８に示すように、本発明の吸湿ボックス構造のまたさらに別種の実施形態では、吸湿ボックス本体７は、六角形ケース体７１、ケース蓋７２を備える。六角形ケース体７１内には、通風管を形成し、通風管外周には、収容設置空間を形成する。通風管は、管口７１２、及び収容設置空間に連通する複数の貫通孔７１３を備える。六角形ケース体７１は、封鎖端と開口端を備える。ケース蓋７２は、六角形ケース体７１の開口端に蓋をし、管口７１２に連通する通過孔７２２を設置する。ケース蓋７２の内側面には、複数の第二組合せ接続部７２１を設置する。六角形ケース体７１は、開口端位置に、第二組合せ接続部７２１に対応する複数の第一組合せ接続部７１１を設置する。第一組合せ接続部７１１と第二組合せ接続部７２１とは、孔と柱体である。吸湿材を収容設置空間に充填し、吸湿材を乾燥させたい時には、電熱装置の熱風は、通過孔７２２、管口７１２の導引を経由し、貫通孔７１３を通過して、収容設置空間に進入し、吸湿材を乾燥させる。また、複数の吸湿ボックス本体７を重ねて設置することができ、吸湿ボックス本体７の管口７１２を連通させ、これにより熱風は、吸湿ボックス本体７を順番に通過し、吸湿材を乾燥させることができる。
【００２２】
上記した構造と実施形態に対する説明により明らかなように、本発明は以下の長所を備える。
１．本発明の吸湿ボックス構造は、吸湿ボックス内に電熱アセンブリを設置しないため、吸湿ボックスの製造コストを大幅に引き下げられ、また吸湿ボックスの吸湿材を充填する空間を拡大することで、吸湿材の充填量を増やして、吸湿効果を効果的に高めることができる。
２．本発明の吸湿ボックス構造は、吸湿ボックス内部に、通風管を設置し、吸湿材を乾燥、還元させる時、電熱装置が生じる熱風は、通風管の導引を経て、吸湿ボックスの収容設置空間のあらゆる部分に効果的に吹き付けられ、吸湿材を、内から外へと充分かつ迅速に乾燥させる効果を達成することができる。
３．本発明の吸湿ボックス構造は、吸湿ボックス内部に通風管を設置し、湿気が吸湿ボックスケース蓋の貫通孔より、吸湿ボックスの収容設置空間に進入すると、湿気は、通風管より収容設置空間へと侵入し、こうして収容設置空間の吸湿材は、内から外へと、充分に湿気を吸収でき、効果的な除湿を達成することができる。
【００２３】
上述の実施形態の説明を総合すると、本発明の操作、使用、及び本発明が生じる効果を充分理解することができる。しかし、以上に述べた実施形態は単に本発明の好ましい実施形態であり、これによって本発明の特許請求の範囲を限定することではない。即ち本発明の特許請求の範囲及び説明書の内容に基づいて、同等効果を有する簡単な変化及び修飾は、全て、本発明の範囲内に属するものとする。
【符号の説明】
【００２４】
１      吸湿ボックス本体
１１    ケース体
１１１  貫通孔
１２    ケース蓋
１２１  承接部
１２２  収容槽
１２３  通過孔
１２４  貫通孔
１３    収容設置空間
２      通風管
２１    管孔
２２    貫通孔
３      吸湿ボックス本体
３１    ケース体
３１１  貫通孔
３２    ケース蓋
３２１  通過孔
３２２  貫通孔
３３    収容設置空間
４      通風管
４１    管孔
４２    槽孔
４３    間隙孔
５      吸湿ボックス本体
５１    ケース蓋
５２    収容設置空間
５３    貫通孔
５４    通過孔
６      通風管
６１    通風管本体
６１１  管孔
６２    接続管
６２１  管孔
６３    導流管
６３１  管孔
６３２  貫通孔
７      吸湿ボックス本体
７１    六角形ケース体
７１１  第一組合せ接続部
７１２  管口
７１３  貫通孔
７２    ケース蓋
７２１  第二組合せ接続部
７２２  通過孔
【図１】
2015123449.tif 000003
【図２】
2015123449.tif 000004
【図３】
2015123449.tif 000005
【図４】
2015123449.tif 000006
【図５】
2015123449.tif 000007
【図６】
2015123449.tif 000008
【図７】
2015123449.tif 000009
【図８】
2015123449.tif 000010